(57)【要約】【課題】筐体内に電子部品を収容してなる携帯機器において、人体から筐体に放電される静電気をより確実に逃がすことができ、筐体内の電子部品をより効果的に保護し得る構成を提供する。【解決手段】携帯端末１は、一部が把持部３として構成されたケース２が設けられており、ケース２の一方面側から導電性の第１導電部４１が露出している。また、把持部３において導電性の第２導電部４２が露出しており、一方面側を載置面Ｆに対向させてケース２を載置したときに第１導電部４１が載置面Ｆと当接するように構成されている。更に、第１導電部４１及び第２導電部４２よりも大きい抵抗値で構成された抵抗器Ｒ１、Ｒ２、Ｒ３、Ｒ４が設けられており、第２導電部４２と第１導電部４１との間に抵抗器を介在させて通電路が構成されている。【選択図】図６
2012190895.tif 000002
【特許請求の範囲】
【請求項１】
電子部品を実装してなる回路基板と、
前記回路基板を収容する筐体と、
を備え、
前記筐体の少なくとも一部に把持部が設けられた携帯機器であって、
導電性材料によって構成されると共に前記筐体の一方面側から外部に露出して配置され、前記一方面側を載置面に対向させて前記筐体を載置したときに前記載置面と当接するように構成される第１導電部と、
導電性材料によって構成されると共に前記把持部において前記筐体の外部に露出して配置された第２導電部と、
一端側が前記第１導電部と導通し、他端側が前記第２導電部と導通して配置され、前記第１導電部及び前記第２導電部よりも大きい抵抗値で構成された抵抗器と、
を有し、
前記第２導電部と第１導電部との間に前記抵抗器を介在させて通電路が構成されていることを特徴とする携帯機器。
【請求項２】
前記筐体は、長手状に構成されると共に前記一方面側に配置され底壁部と、長手状に構成され且つ前記一方面とは反対面側に配置される上壁部と、前記上壁部と前記底壁部とを連結すると共に前記上壁部及び前記底壁部の長手方向に沿って配置される一対の側壁部とを備え、当該筐体の長手方向の少なくとも一部が前記把持部として構成されており、
前記把持部において前記上壁部及び前記側壁部の少なくともいずれかの壁部から露出する構成で前記第２導電部が配置されていることを特徴とする請求項１に記載の携帯機器。
【請求項３】
前記筐体の前記一方面とは反対面側において、当該筐体の長手方向一方寄りに表示装置が設けられ、
前記筐体の前記反対面側において、当該筐体の長手方向他方側に複数の操作ボタンが配置されており、
前記筐体の長手方向他方側において前記側壁部から露出する構成で前記第２導電部が設けられていることを特徴とする請求項２に記載の携帯機器。
【請求項４】
前記第２導電部は、前記側壁部において前記筐体の長手方向一方側の位置にも設けられていることを特徴とする請求項３に記載の携帯機器。
【請求項５】
前記底壁部における長手方向一端側及び他端側の少なくともいずれか一方に、下方側に凸となる凸部が形成されており、
前記凸部に前記第１導電部が設けられていることを特徴とする請求項２から請求項４のいずれか一項に記載の携帯機器。
【請求項６】
前記回路基板と前記第２導電部とが電気的に絶縁されていることを特徴とする請求項１から請求項５のいずれか一項に記載の携帯機器。
【請求項７】
前記抵抗器は、前記筐体の内部に収容されており、
前記第２導電部から前記第１導電部に至るまでの前記通電路が前記筐体内部を通って構成されていることを特徴とする請求項１から請求項６のいずれか一項に記載の携帯機器。
【発明の詳細な説明】
【技術分野】
【０００１】
本発明は、携帯機器に関するものである。
【背景技術】
【０００２】
携帯型の光学的情報読取装置や携帯電話などの携帯機器は、使用者が手に持った状態で使用されることが多く、使用者に帯電した静電気が機器を構成する電子部品に悪影響を及ぼすことが問題視されている。例えば、機器を構成する電子部品に対して耐圧を越えた静電気が印加されると、誤動作や素子破壊等の原因となり得るため、携帯機器ではこのような静電気を想定した対策が求められており、特に、近年では、電子部品の低電圧化に伴いこの問題が重要視されている。
【先行技術文献】
【特許文献】
【０００３】
【特許文献１】特開２００８−１３０９１２公報
【発明の概要】
【発明が解決しようとする課題】
【０００４】
上記のような問題に対し、現在では、電子部品に対する沿面距離の確保やケースのシールド塗装などの対策が提案されている。例えば、特許文献１では、キー側筐体（１０）の内部にカメラ（１５）やメイン基板（１３）が配設された携帯端末装置が開示されており、この携帯端末装置では、ケース部品において電子部品を収容して保持する保持部が形成され、この保持部の内面に導電塗装が施されている。そして、導電塗装が施された導電部位がメイン基板（１３）のＧＮＤと電気的に接続されており、静電気が印加されたときには、この静電気による電流を導電部位からメイン基板（１３）のＧＮＤ側に逃がしている。
【０００５】
しかしながら、特許文献１のように筐体に導電塗装を施す場合、導電塗装に起因するコストの増大が避けられず、機器全体のコスト高騰が懸念される。また、特許文献１の技術は、静電気に起因して発生する放電電流をメイン基板のＧＮＤ側のみに逃がしており、機器内で閉じた放電経路を構成しているため、人体等に帯電した大量の静電気を確実に逃がすことができないという問題もある。更に、大量の放電電流がメイン基板側に流れることに起因して機器が誤動作することも懸念される。
【０００６】
本発明は、上述した課題を解決するためになされたものであり、筐体内に電子部品を収容してなる携帯機器において、人体から筐体に放電される静電気をより確実に逃がすことができ、筐体内の電子部品をより効果的に保護し得る構成を提供することを目的とする。
【課題を解決するための手段】
【０００７】
上記目的を達成するため、請求項１の発明は、電子部品を実装してなる回路基板と、前記回路基板を収容する筐体とを備え、前記筐体の少なくとも一部に把持部が設けられた携帯機器であって、導電性材料によって構成されると共に前記筐体の一方面側から外部に露出して配置され、前記一方面側を載置面に対向させて前記筐体を載置したときに前記載置面と当接するように構成される第１導電部と、導電性材料によって構成されると共に前記把持部において前記筐体の外部に露出して配置された第２導電部と、一端側が前記第１導電部と導通し、他端側が前記第２導電部と導通して配置され、前記第１導電部及び前記第２導電部よりも大きい抵抗値で構成された抵抗器とを有し、前記第２導電部と第１導電部との間に前記抵抗器を介在させて通電路が構成されていることを特徴とする。
【発明の効果】
【０００８】
請求項１の発明では、載置時に載置面に接触する第１導電部と把持部に配置される第２導電部との間に抵抗器を介在させて通電路が構成されているため、載置面に置かれた携帯機器を手に取る時、或いは把持していた携帯機器を載置面に置く時などにおいて、人体側に蓄積された静電気を、基板上の電子部品には流さずに地面に緩やかに且つ確実に逃しやすくなり、機器の静電気耐圧を効果的に高めることができる。
【０００９】
請求項２の発明によれば、筐体が、長手状に構成されると共に筐体の一方面側に配置された底壁部と、長手状に構成され且つ一方面とは反対面側に配置される上壁部と、上壁部と底壁部とを連結すると共に上壁部及び底壁部の長手方向に沿って配置される一対の側壁部とを備え、当該筐体の長手方向の少なくとも一部が把持部として構成されており、把持部において上壁部及び側壁部の少なくともいずれかの壁部から露出する構成で第２導電部が配置されている。このように、機器が載置面に載置されているときに、手が最初に触れ易い位置に第２導電部を配置すれば、より早期に且つより確実に静電気を逃がすことができる。
【００１０】
請求項３の発明によれば、筐体の一方面とは反対面側において、当該筐体の長手方向一方寄りに表示装置が設けられ、筐体の反対面側において、当該筐体の長手方向他方側に複数の操作ボタンが配置されている。また、筐体の長手方向他方側において側壁部から露出する構成で第２導電部が設けられている。このような構成では、携帯機器を使用する場合に筐体の表示装置側を避けて操作ボタン側が把持され易く、そのような位置に第２導電部を配置すれば、静電気をより確実に逃がし易くなる。
【００１１】
請求項４の発明によれば、第２導電部は、側壁部において筐体の長手方向一方側の位置にも設けられている。このような構成では、操作ボタン側を把持された場合であれば、当然に第２導電部の存在により静電気を逃がすことができ、一方で、表示装置側を把持された場合であっても、第２導電部が存在することで、より広範囲に亘って静電気を逃がすことができる。
【００１２】
請求項５の発明によれば、底壁部における長手方向一端側及び他端側の少なくともいずれか一方に、下方側に凸となる凸部が形成されており、凸部に第１導電部が設けられている。このような構成では、携帯機器が載置面に載置される時に、下方側に突出する凸部に設けられた第１導電部が載置面に確実に接触し易くなる。また、第１導電部をそれほど広い構成にしなくても第１導電部を載置面に確実に接触させることができるため、第１導電部の面積の低減を図ることができ、コスト面や構成簡素化の面で有利となる。
【００１３】
請求項６の発明によれば、回路基板と第２導電部とが電気的に絶縁されている。このような構成では、静電気による放電電流が回路基板側には回り込むことがなくなり、回路基板を静電気からより確実に保護することができる。
【００１４】
請求項７の発明によれば、抵抗器は筐体の内部に収容されており、第２導電部から第１導電部に至るまでの通電路が筐体内部を通って構成されている。このような構成では、筐体外に抵抗器等を配置する必要が無くなるため、導電経路を全て筐体外に配置する構成と比較して筐体外の部品点数や経路面積を削減して簡易な構成にまとめることができ、デザイン性も向上させることができる。
【図面の簡単な説明】
【００１５】
【図１】図１は、本発明の第１実施形態に係る携帯機器を概略的に例示する側面図である。
【図２】図２は、第１実施形態に係る携帯機器を概略的に例示する平面図である。
【図３】図３（Ａ）は、図１の携帯機器の電気的構成を概略的に例示するブロック図である。図３（Ｂ）は、情報コード読取部の構成を例示するブロック図である。
【図４】図４は、図１の携帯機器の内部構造を概略的に示す説明図である。
【図５】図５は、図１の携帯機器の内部構造の一部を拡大して説明する説明図である。
【図６】図６は、図１の携帯機器を把持したときの放電の様子を説明する説明図である。
【発明を実施するための形態】
【００１６】
以下、本発明の携帯機器を具現化した第１実施形態について、図面を参照して説明する。
（全体構成）
まず、図１〜図３等を参照して実施形態に係る携帯機器１の全体構成について説明する。
図１は、本発明の第１実施形態に係る携帯機器を概略的に例示する側面図である。図２は、第１実施形態に係る携帯機器を概略的に例示する平面図である。図３（Ａ）は、図１の携帯機器の電気的構成を概略的に例示するブロック図である。図３（Ｂ）は、情報コード読取部の構成を例示するブロック図である。
【００１７】
図１に示す携帯機器１は、ユーザによって携帯されて様々な場所で用いられるものであり、バーコードや二次元コードなどの情報コードを読み取る情報コードリーダとしての機能を有している。図１、図２に示すように、携帯機器１は、全体的に長手状に構成されており、長手状のケース２によって外郭が構成され、このケース２の内部に各種部品（各種電気部品等）が収容されている。ケース２は、例えば樹脂材料などからなる複数のケース体によって構成され、これらが結合した箱状形態をなしている。
【００１８】
本実施形態では、ケース２の長手方向を前後方向とし、表示装置１１（図２）が形成された側を前方側、それとは反対側を後方側としている。また、ケース２の厚さ方向を上下方向とし、キー操作部１４や表示装置１１が設けられた側を上方側、それとは反対側を下方側としている。また、これら前後方向及び上下方向と直交する方向を幅方向（横方向）としている。なお、図１等では前後方向をＸ軸方向として示しており、上下方向をＹ軸方向として示している。また、幅方向（横方向）をＺ軸方向としている（図示は省略）。
【００１９】
ケース２の前方側且つ下方側には情報コードからの反射光を取り込む読取口（図１、図２では図示略）が形成されている。この読取口は、ケース２の内部に光を取り込みうる開口形状となっており、その開口が透明部材（例えば透明の樹脂部材）によって閉塞された構成をなしている。また、携帯機器１には、ケース２から露出する形態で様々な部品が設けられている。例えば、図２に示すように、上面側には、表示装置１１や、複数個の操作ボタン１４ａ（数字キーや機能キー等）を有するキー操作部１４が設けられており、図１に示すように、側面側には、読取指示用のトリガスイッチ１３などが設けられている。
【００２０】
次に、電気的構成について説明する。携帯機器１におけるケース２の内部には、図３（Ａ）に示すように、携帯機器１全体を制御する制御部１０が設けられている。この制御部１０は、マイコンを主体として構成されるものであり、ＣＰＵ、システムバス、入出力インターフェース等を有しており、メモリ１６と協働して情報処理手段として機能している。また、制御部１０には、表示装置１１、スピーカ１２、トリガスイッチ１３、キー操作部１４、外部インターフェース１５なども接続されている。
【００２１】
更に、制御部１０には、通信部２０が接続されている。この通信部２０は、例えば規格化された公知の通信方式（例えばＩｒＤＡ通信方式、Bluetooth（商標名）通信方式等）でデータ通信を行うインターフェースとして構成されている。
【００２２】
トリガスイッチ１３やキー操作部１４は、制御部１０に対して操作信号を与える構成をなしており、制御部１０は、これらからの操作信号を受けて操作信号の内容に応じた各種制御を行う。表示装置１１は、例えば液晶表示器として構成されており、制御部１０からの指令を受けて様々な表示動作が行われるようになっている。外部インターフェース１５は、外部（例えばホスト装置）との間でのデータ通信を行うためのインターフェースとして構成されており、制御部１０と協働して通信処理を行うように構成されている。また、ケース２内には、電源となる電池１７や電源部１８が設けられており（図１では図示略）、これらによって制御部１０や各種電気部品に電力が供給されるようになっている。
【００２３】
また、制御部１０には、情報コード読取部３０が接続されている。この情報コード読取部３０は、図３（Ｂ）に示すように、ＣＣＤエリアセンサ等の受光センサ３３、結像レンズ３７、複数個のＬＥＤやレンズ等から構成される照明部３１などを備えた構成をなしており、制御部１０と協働して読取対象Ｒに付された情報コードＣ（バーコードや二次元コード）を読み取るように機能する。この情報コード読取部３０によって読み取りを行う場合、まず、制御部１０によって指令を受けた照明部３１から照明光Ｌｆが出射され、この照明光Ｌｆが読取口を通って読取対象Ｒに照射される。そして、照明光Ｌｆが情報コードＣ（バーコードや二次元コード）にて反射した反射光Ｌｒは、読取口５を通って装置内に取り込まれ、結像レンズ３７を通って受光センサ３３に入射する。読取口５と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、データとしてメモリ１６（図３（Ａ）））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２４】
（特徴的構成）
次に、図１〜図６等を参照し、本実施形態の特徴的構成について詳述する。
図４は、図１の携帯機器の内部構造を概略的に示す説明図である。図５は、図１の携帯機器の内部構造の一部を拡大して説明する説明図である。図６は、図１の携帯機器を把持したときの放電の様子を説明する説明図である。なお、図４は、図１のＡ−Ａ位置で断面概略図であり、切断面のハッチングや一部部品（基板に実装される電子部品等）は省略して示している。
【００２５】
まず、ケース２の構造について詳しく説明する。
ケース２は、上下左右及び前後をそれぞれ壁部によって囲んでなる箱体として構成されており、厚さ方向一方面側（即ち上面側）には長手状の上壁部２ａが設けられており、厚さ方向他方面側（即ち、下面側）には、その長手状の上壁部２ａと対向する構成で長手状の下壁部２ｂが設けられている。更に、ケース２の幅方向両側には、上壁部２ａ及び底壁部２ｂの長手方向に沿って配置される一対の側壁部２ｃ、２ｂがそれぞれ長手状に設けられている。また、ケース２の前後を閉塞する構成で、前壁部や後壁部も設けられている。
【００２６】
このように構成されるケース２では、当該ケース２の長手方向の少なくとも一部が把持部として構成されており、図２の例では、表示装置１１の表示領域の後端部１１ａよりも後方側の領域が把持部３とされている。図１、図２等に示す例では、ケース２の長手方向一方側（前方側）の所定位置に表示装置１１が配置されており、長手方向において表示装置１１が配置される領域では、ケース２の幅が、ケース２における平均幅よりも大きい第１の幅Ｗ１となっている。また、ケース２の長手方向他方側（後方側）は、少なくとも長手方向中心位置よりも後方側の領域Ｃ全体が、上記第１の幅Ｗ１よりも幅が小さく構成されている。また、領域Ｃの大部分はケース２における平均幅よりも小さい第２の幅Ｗ２となっている。
【００２７】
次に、導電部及び導電路について詳しく説明する。
本実施形態に係る携帯機器１では、上記ケース２の内部又は外部において、第１導電部４１、第２導電部４２、抵抗器Ｒ１〜Ｒ４、内部導電部材５０などが設けられている。そして、第１導電部４１と第２導電部４２との間に抵抗器Ｒ１〜Ｒ４を介在させて通電路が構成されている。
【００２８】
図１に示すように、第１導電部４１として、前側第１導電部４１ａと後側第１導電部４１ｂとが設けられており、これら前側第１導電部４１ａ及び後側第１導電部４１ｂはいずれも、導電性材料（金属材料や導電性の樹脂材料等）によって構成され、ケース２の一方面側（下面側）から外部に露出して配置されている。そして、図１のように下方側を載置面Ｆに対向させてケース２を載置したときには、前側第１導電部４１ａ及び後側第１導電部４１ｂのいずれもが載置面Ｆと当接するように構成されている。
【００２９】
図１に示すように、ケース２の下方側において長手方向一端側（前方側）には、下方側に凸となる凸部４４が形成されている。この凸部４４は、ケース２の底壁部２ｂの外壁面（下面）よりも下方側に突出して設けられており、当該凸部４４に前側第１導電部４１ａが設けられている。従って、図１のようにケース２の底壁部２ｂを載置面Ｆと対向させるように携帯機器１を載置したときに、突出した凸部４４に設けられた導電部（前側第１導電部４１ａ）が載置面Ｆに当接し易くなっている。
【００３０】
また、図１、図４に示すように、第２導電部４２として、右側第２導電部４２ａと左側第２導電部４２ｂとが設けられている。右側第２導電部４２ａは、携帯機器１を前方側から正面視したときに右側に配置され、左側第２導電部４２ｂは携帯機器１を前方側から正面視したときに左側に配置されるようになっている。そして、これら右側第２導電部４２ａ及び左側第２導電部４２ｂはいずれも、導電性材料（金属材料や導電性の樹脂材料等）によって構成され、ケース２の両側壁部２ｃ、２ｄ側から外部に露出して配置されている。
【００３１】
本実施形態では、上述したように、ケース２において表示装置１１の後端部１１ａよりも後方側の部分が把持部３とされており、右側第２導電部４２ａ及び左側第２導電部４２ｂはいずれも把持部３においてケース２の外部に露出した構成で配置されている。また、右側第２導電部４２ａ及び左側第２導電部４２ｂはいずれも、ケース２の長手方向の中心よりも後方側に配置されており、且つ、厚さ方向において上面側寄りに配置されている。従って、ケース２の後方側を把持したときに、右側第２導電部４２ａ及び左側第２導電部４２ｂのいずれかの位置に手が接触し易く、上面側寄りに配置されているため、端末を把持する指が右側第２導電部４２ａ及び左側第２導電部４２ｂのいずれかに届き易くなっている。
【００３２】
また、本実施形態では、内部導電部材５０（内部中央導電路５１ａ，５１ｂ、内部前側導電路５２ａ，５２ｂ、内部後側導電路５３ａ，５３ｂ）がいずれもケース２の内部において当該ケース２の長手方向に沿って配置されている。これら内部中央導電路５１ａ，５１ｂ、内部前側導電路５２ａ，５２ｂ、内部後側導電路５３ａ，５３ｂは、いずれも導電性材料（金属材料や導電性の樹脂材料等）によって構成されており、静電気に起因する放電電流を流す経路として機能している。
【００３３】
このうち、内部中央導電路５１ａ，５１ｂは、右側第２導電部４２ａ、左側第２導電部４２ｂにそれぞれ連結されて、これら右側第２導電部４２ａ、左側第２導電部４２ｂにそれぞれ導通している。
【００３４】
そして、内部中央導電路５１ａ，５１ｂの前側には、間隔をあけて内部前側導電路５２ａ，５２ｂがそれぞれ配置されている。そして、内部中央導電路５１ａの前端部側には抵抗器Ｒ１の一端が接続され、内部前側導電路５２ａの後端部側には抵抗器Ｒ１の他端が接続されており、更に内部前側導電路５２ａの前端部側には、前側第１導電部４１ａが形成されている。これにより、右側第２導電部４２ａと前側第１導電部４１ａとの間には、内部中央導電路５１ａ、抵抗器Ｒ１、内部前側導電路５２ａによる導電路が構成され、右側第２導電部４２ａと前側第１導電部４１ａとが導通している。
【００３５】
更に、内部中央導電路５１ａの後端部側には抵抗器Ｒ２の一端が接続され、内部後側導電路５３ａの前端部側には抵抗器Ｒ２の他端が接続されており、更に内部後側導電路５３ａの後端部側には、後側第１導電部４１ｂが形成されている。これにより、右側第２導電部４２ａと後側第１導電部４１ｂとの間には、内部中央導電路５１ａ、抵抗器Ｒ２、内部後側導電路５３ａによる導電路が構成され、右側第２導電部４２ａと後側第１導電部４１ｂとが導通している。
【００３６】
同様に、内部中央導電路５１ｂの前端部側には抵抗器Ｒ３の一端が接続され、内部前側導電路５２ｂの後端部側には抵抗器Ｒ３の他端が接続されており、更に内部前側導電路５２ｂの前端部側にも、前側第１導電部４１ａが形成されている。これにより、左側第２導電部４２ｂと前側第１導電部４１ａとの間にも、内部中央導電路５１ｂ、抵抗器Ｒ３、内部前側導電路５２ｂによる導電路が構成され、左側第２導電部４２ｂと前側第１導電部４１ａとが導通している。
【００３７】
更に、内部中央導電路５１ｂの後端部側には抵抗器Ｒ４の一端が接続され、内部後側導電路５３ｂの前端部側には抵抗器Ｒ４の他端が接続されており、更に内部後側導電路５３ｂの後端部側には、後側第１導電部４１ｂが形成されている。これにより、左側第２導電部４２ｂと後側第１導電部４１ｂとの間には、内部中央導電路５１ｂ、抵抗器Ｒ４、内部後側導電路５３ｂによる導電路が構成され、左側第２導電部４２ｂと前側第１導電部４１ａとが導通している。
【００３８】
更に、各抵抗器Ｒ１〜Ｒ４は、いずれも第１導電部４１、第２導電部４２よりも大きい抵抗値（例えば１ＭΩ程度の抵抗値）で構成され、抵抗率も第１導電部４１、第２導電部４２よりも大きくなっている。これら抵抗器Ｒ１〜Ｒ４は、いずれもケース２の内部に収容されており、第２導電部４２（４２ａ、４２ｂ）から第１導電部４１（４１ａ、４１ｂ）に至るまでの通電路がケース２の内部を通って構成されている。
【００３９】
以上のように構成されているため、図６に示すように、携帯端末１の載置時に第１導電部４１（４１ａ、４１ｂ）が載置面Ｆに対してより確実に当接することになり、静電気を帯びた使用者が把持部３を把持した際には、静電気に起因する放電電流が把持部３に配置される第２導電部４２から、導電路（内部導電部材５０及び抵抗器Ｒ１、Ｒ２、Ｒ３、Ｒ４）、第１導電部４１を介して載置面側に流れ込むことになる。また、第２導電部４２（４２ａ、４２ｂ）と第１導電部４１（４１ａ、４１ｂ）との間が抵抗器Ｒ１〜Ｒ４を介して導通し、静電気に起因する放電電流が第２導電部４２から第１導電部４１側に流れる際には、当該放電電流が必ず抵抗器Ｒ１〜Ｒ４のいずれかを流れることになる。従って、端末内を大電流が流れる事態を回避することができる。
【００４０】
また、第２導電部４２、内部導電部材５０、第１導電部４１、抵抗器Ｒ１，Ｒ２，Ｒ３，Ｒ４のいずれもが、ケース２の内部に配置された回路基板４と電気的に絶縁されている。特に、第２導電部４２、内部導電部材５０、第１導電部４１、抵抗器Ｒ１，Ｒ２，Ｒ３，Ｒ４のいずれもが回路基板４と離間しており、これら第２導電部４２、内部導電部材５０、第１導電部４１、抵抗器Ｒ１，Ｒ２，Ｒ３，Ｒ４による導電経路は回路基板４のグランドラインとも絶縁されているため、静電気に起因する放電電流が回路基板４内に回り込むことをより確実に防ぐことができる。
【００４１】
（第１実施形態の主な効果）
第１実施形態に係る携帯機器１は、図６に示すように、把持部４に配置される第２導電部４２と載置時に載置面Ｆに接触する第１導電部４１との間に抵抗器を介在させて通電路が構成されているため、機器を手に取る時及び載置面に置く時に、人体側からケース２に放電される静電気を基板４上の電子部品には流さず、地面に緩やかに且つ確実に逃がすことができ、機器の静電気耐圧を高めることができる。
【００４２】
また、ケース２は、長手状に構成され下面側（一方面側）に配置される底壁部２ｂと、長手状に構成され上面側（前記一方面とは反対面側）に配置される上壁部２ａと、上壁部２ａと底壁部２ｂとを連結すると共に上壁部２ａ及び底壁部２ｂの長手方向に沿って配置される一対の側壁部２ｃ、２ｄとを備えている。そして、ケース２の長手方向の少なくとも一部が把持部３として構成されており、把持部３において上壁部２ａ及び側壁部２ｃ、２ｄの少なくともいずれかの壁部から露出する構成で第２導電部４２が配置されている。この構成では、図１のように底壁部２ｂ側を載置面Ｆと対向させて機器を載置した場合に、上壁部２ａや側壁部２ｃ、２ｄが最初に接触し易い部分となる。そして、このように機器が載置面Ｆに載置されているときに、手が最初に触れ易い位置に第２導電部４２を配置すれば、使用者が機器を把持しようとしたときに、より早期に且つより確実に静電気を逃がすことができる。
【００４３】
また、図１等に示す携帯機器１では、ケース２の上面側（一方面とは反対面側）において、当該ケース２の長手方向一方寄り（即ち前方寄り）に表示装置１１が設けられ、ケース２の上面側において長手方向他方側（即ち後方側）には複数の操作ボタン１４ａが配置されている。そして、ケース２の長手方向他方側（後方側）において側壁部２ｃ、２ｄから露出する構成で第２導電部４２が設けられている。この構成では、携帯機器を使用する場合に、表示装置１１側を避けて操作ボタン１４ａ側が把持され易いため、このような位置に第２導電部４２を配置すれば、静電気をより確実に逃がし易くなる。
【００４４】
また、図１等に示す携帯機器１では、底壁部２ｂにおける長手方向一端側（前端側）に下方側に凸となる凸部４４が形成されており、この凸部４４に第１導電部４１が設けられている。このような構成では、携帯機器１が載置面に載置される時に、下方側に突出する凸部４４に設けられた第１導電部４１が載置面Ｆに確実に接触し易くなる。また、第１導電部４１をそれほど広い構成にしなくても第１導電部４１を載置面Ｆに確実に接触させることができるため、第１導電部４１の面積の低減を図ることができ、コスト面や構成簡素化の面で有利となる。
【００４５】
また、図１等に示す携帯機器１では、回路基板４と第２導電部４２とが電気的に絶縁されている。このような構成では、静電気による放電電流が回路基板４側には回り込むことがなくなり、回路基板４を静電気からより確実に保護することができる。
【００４６】
また、図１等に示す携帯機器１では、抵抗器は筐体の内部に収容されており、第２導電部から第１導電部に至るまでの通電路が筐体内部を通って構成されている。このような構成では、筐体外に抵抗器等を配置する必要が無くなるため、導電経路を全て筐体外に配置する構成と比較して筐体外の部品点数や経路面積を削減して簡易な構成にまとめることができ、デザイン性も向上させることができる。
【００４７】
［他の実施形態]
本発明は上記記述及び図面によって説明した実施形態に限定されるものではなく、例えば次のような実施形態も本発明の技術的範囲に含まれる。
【００４８】
上記実施形態では、携帯機器の例として、携帯型の光学的情報読取装置を挙げたが、携帯型の他の電子機器であってもよく、例えば、ＲＦＩＤタグやＩＣカードを読み取る携帯型の非接触通信端末などであってもよい。
【００４９】
上記実施形態では、把持部３において、側壁部２ｃ、２ｄから露出する形態で第２導電部４２が設けられていたが、このような構成に加え、又はこのような構成に換えて、上壁部２ａ側から露出する第２導電部を設けるようにしてもよい。
【００５０】
上記実施形態では、第２導電部４２が側壁部２ｃ、２ｄにおいて長手方向他方側（後方側）に設けられた例を示したが、このような構成に加え、更に、側壁部２ｃ、２ｄにおける長手方向一方側（前方側）の位置から露出するように第２導電部を設けるようにしてもよい。例えば、表示装置１１の両側方における一点鎖線１４２の位置において両側壁部２ｃ、２ｄから露出するように第２導電部４２と同様の部材をそれぞれ配置し、これら同様の部材を内部前側導電路５２ａ、５２ｂにそれぞれ導通させるようにすることができる。
この構成では、操作ボタン１４ａ側を把持された場合であれば、当然に第２導電部４２の存在により静電気を逃がすことができ、他方、表示装置１１側を把持された場合であっても、第２導電部（一点鎖線１４２の位置に配置される導電部）によって静電気を逃がすことができるようになり、より広範囲に亘って静電気の除去が可能となる。
【００５１】
また、上記実施形態では、底壁部２ｂにおける長手方向一端側（前端側）に下方側に凸となる凸部４４が形成された例を示したが、このような構成に加え、或いはこのような構成に換えて、長手方向他端側（後端側）において下方側に凸となる凸部を設け、この凸部に第１導電部を配置するようにしてもよい。例えば、図１の構成において、後端側の第１導電部４１ｂの位置を下方側に凸となる凸状に構成し、その突出した位置に配置される第１導電部を載置面Ｆに当接させるようにしてもよい。
【符号の説明】
【００５２】
１…携帯機器
２…ケース（筐体）
２ａ…上壁部
２ｂ…底壁部
２ｃ，２ｄ…側壁部
３…把持部
４…回路基板
１１…表示装置
１４…キー操作部
１４ａ…操作ボタン
１７…電池
４１…第１導電部
４２…第２導電部
４４…凸部
５１ａ，５１ｂ…内部中央導電路（導電路）
５２ａ，５２ｂ…内部前側導電路（導電路）
５３ａ，５３ｂ…内部後側導電路（導電路）
Ｒ１，Ｒ２，Ｒ３，Ｒ４…抵抗器（導電路）
Ｆ…載置面
【図１】
2012190895.tif 000003
【図２】
2012190895.tif 000004
【図３】
2012190895.tif 000005
【図４】
2012190895.tif 000006
【図５】
2012190895.tif 000007
【図６】
2012190895.tif 000008